(57)【特許請求の範囲】
【請求項１】
車両のエネルギー源であるバッテリーとして使用される貯蔵媒体であって、
ＳＩＭカードを含み、
当該貯蔵媒体の充電状態に関する情報を格納するデータメモリと、認可されたデータ伝送装置だけが前記データメモリに情報を伝送できるように構成された認可装置とを含むものとしたことを特徴とする貯蔵媒体。
【請求項２】
前記データメモリは、
少なくとも一つの場所についての情報を格納することができることを特徴とする請求項１に記載の貯蔵媒体。
【請求項３】
無線データ伝送のための手段に接続されることを特徴とする請求項１又は請求項２のいずれか一項に記載の貯蔵媒体。
【請求項４】
前記無線データ伝送のための手段は、トランスポンダーであることを特徴とする請求項１から請求項３のいずれか一項に記載の貯蔵媒体。
【請求項５】
ローディング及び／又はアンローディングプロセスを制御するための手段を備えるローディングステーションであって、
請求項１に係る貯蔵媒体を識別する手段と、少なくとも最初の貯蔵媒体を別の貯蔵媒体に交換する制御を行う手段と、該最初の貯蔵媒体と車両及び／又は車両の所有者とを関連付ける手段であって、車両のナンバープレートを検知するためのユニットを備えるものと、車両から該最初の貯蔵媒体を取り外す手段と、車両に更なる貯蔵媒体を積載する手段とを備えることを特徴とするローディングステーション。
【請求項６】
チップカード用のカードリーダーを備えることを特徴とする請求項５に記載のローディングステーション。
【請求項７】
貯蔵媒体の充電状態についての情報を格納するためのデータメモリを備えることを特徴とする請求項６に記載のローディングステーション。
【発明の詳細な説明】
【技術分野】
【０００１】
本発明は、貯蔵媒体及びその操作方法に関する。
【背景技術】
【０００２】
従来、車両に動力を供給する数多くのエネルギー源が知られている。
【０００３】
電気自動車用の自動貯蔵監視装置及びバッテリー交換システムがヨーロッパ特許出願ＥＰ０４７６４０５Ａ１によって知られている。
【０００４】
開示されたローディングステーションは、複数のバッテリーのローディング装置から構成される。それぞれのバッテリーは、識別用の識別コードを有している。さらにバッテリーを識別するための読み取り装置が充電ステーションと同様に輸送用車両に配置される。
【先行技術文献】
【特許文献】
【０００５】
【特許文献１】欧州特許出願第ＥＰ０４７６４０５Ａ１号明細書
【発明の概要】
【発明が解決しようとする課題】
【０００６】
当該発明は、車両の望ましい操作状態のために望ましい充電レベルを備えている貯蔵媒体によって複数の車両に柔軟かつ確実に供給することを可能にすることを目的とするものである。
【０００７】
引用文献に記載の発明によれば、できるだけ完全に充電される貯蔵媒体によってすばやく確実に車両に提供することが特に望ましい。
【発明の効果】
【０００８】
当該発明によれば、請求項１に記載の貯蔵媒体、及び請求項５に記載のローディングステーションによって目的は達成される。
【０００９】
請求項２から請求項４、及び請求項６から請求項９は当該発明を改良したものある。
【発明を実施するための形態】
【００１０】
当該発明は、貯蔵媒体、特に車両のためのエネルギー源として使用するものに関係があり、前述の貯蔵媒体は、当該貯蔵媒体の充電状態についての情報を格納するデータメモリを含む。
【００１１】
貯蔵媒体の改良は、データメモリが少なくとも一つの位置に関する情報を格納することを特徴とする。
【００１２】
貯蔵媒体の実施形態は、それが無線データ伝送のための手段に接続されることを提供する。
【００１３】
貯蔵媒体の改良は、無線データ伝送のための手段がトランスポンダーであることを特徴とする。
【００１４】
貯蔵媒体の実施形態は、認可装置を含むものを提供し、前述の認可装置は、認可されたデータ伝送装置だけがデータメモリに情報を伝送できるように構成されている。
【００１５】
当該発明の別実施形態は、ＳＩＭカードを含む貯蔵媒体を提供する。
【００１６】
当該発明は、少なくとも一つの最初の貯蔵媒体を別の貯蔵媒体に交換する制御だけでなくローディング及び／又はアンローディングプロセスを制御するための手段を備えたローディングステーションを含む。当該発明においては、最初の貯蔵媒体と車両及び／又は車両の所有者とを関連付ける手段を備えるローディングステーションを提供する。
【００１７】
改良発明は、最初の貯蔵媒体と関連付けるための手段が車両及び／又は車両の所有者を識別する手段を備えることを特徴とする。
【００１８】
改良発明は、車両のナンバープレートを検知するためのユニットを備える車両及び／又は車両の所有者を識別するための手段を提供する。
【００１９】
当該発明のローディングステーションの別実施形態においては、チップカード用のカードリーダーを特に備えていることを特徴とする。
【００２０】
当該発明におけるローディングステーションの改良発明は、トランスポンダーを検出するための装置を備えるものを提供する。
【００２１】
当該発明における別の実施形態においては、車両から最初の貯蔵媒体を取り外す手段を提供する。
【００２２】
改良発明は、ローディングする車両に更なる貯蔵手段を積載する手段を備えるローディングステーションを提供する。
【００２３】
当該発明における別の実施形態においては、最初の貯蔵媒体の充電状態を確認する手段を備えるローディングステーションを提供する。
【００２４】
改良発明は、貯蔵媒体の充電状態についての情報を格納するデータメモリを備えるローディングステーションを提供する。
【００２５】
当該発明は、いくつかの貯蔵媒体を備えた車両の操作方法を提供する。
【００２６】
この方法は、ローディング及び／又はアンローディングされる少なくとも１つの貯蔵媒体の充電状態が予め定めた低い方の目標値未満であるような場合に実行されることを特徴とする。
【００２７】
「貯蔵媒体」は、広い意味で理解される。特に、それは、例えばバッテリーのような電気的なエネルギー源が包含される。
【００２８】
しかしながら、これらが、例えば車両の燃料のような他のエネルギー源であることはありえる。
【００２９】
さらに、「アンローディング」は、広い意味で理解される。特に、それは、例えばバッテリーのような電気的なエネルギー源が包含される。それは、貯蔵場所、例えばタンクからのエネルギー源の移動だけでなく貯蔵媒体として取り扱うアンローディングされたバッテリーを包含する。
【００３０】
当該発明の一実施形態は、貯蔵媒体が車両の外部に位置する充電装置で充電されるのと同じように低い方の目標値が選択されることを特徴とする。
【００３１】
当該発明の別の実施形態は、追加の貯蔵媒体ができるだけ高い充電状態になるのと同じような方法でローディング及び／又はアンローディングされる少なくとも一つの追加の貯蔵媒体が実行されることを特徴とする。
【００３２】
当該発明の別実施形態は、次のステップから構成される実行するための方法を提供する。
【００３３】
積載物品の配達先住所の入力。
移動ルートの算出。
算出された移動ルートの詳細に関係する付加的な情報の取得。
ハイブリッド駆動に必要な動力条件の算出。
エネルギー消費及び／又は物流車両の排ガスを低減するための算出された移動ルートに沿った利用計画の決定。
【００３４】
当該発明による方法の実施形態において、配達先住所は自動的に読み込まれる。改良発明では、非接触で行うことができる。この方法では、配達が特に効率的に行われる。
【００３５】
都合よく、移動ルートの状況は、ハイブリッド駆動の利用計画の決定のために考慮にいれられる。これは、例えば、車両が住宅地区を移動しているのか国道を移動しているかに関して区別することを含んでいる。実績は、多くの電気的なエネルギーが住宅地区内において使用されることを示した。
【００３６】
むしろ、バッテリーの充電状態は、物流車両の予想された停車の機能として制御される。
【００３７】
当該発明の有利な実施形態において、移動ルートは、物流車両の各停止の後に再計算される。これは、動的なルートの立案であり、絶えず新しい計算に現状の状況を組み入れる。このように、第一の移動ルートの計算後に到着する交通状況に関する情報が更なるルート計画のために考慮されることが確実とされる。この手段は、さらに時間を節約し、物流車両のエネルギー消費を低下させてその排ガスを減少させる。
【００３８】
当該発明の有利な改良では、メッセージは移動ルートの各変更の後に受取人のもとへ送られる。受取人は、物流サービス供給者の急送センターの受取人になりえる。当該発明の実施形態の他の例では、もし移動ルートの変更がもとの移動時間の変更を招くならメッセージは、単に受取人に送られる。
【００３９】
本発明の別の目的は、当該発明に係る方法の実行を可能とするように構成された物流車両を提供することである。
【００４０】
この目的は、請求項１０に係る物流車両によって達成される。
【００４１】
当該発明においては、ハイブリッド駆動及び検出層装置を備える車両（特に物流車両）が提案されている。検出装置は、積載された物品の配達先住所を自動的に取得するように構成される。さらに、情報を交換するためにハイブリッド駆動、検出装置及び航行衛星に接続される車載ネット通信技術システムが提供される。
【００４２】
当該発明の一実施形態において、車載ネット通信技術システムは、検出装置から配達先住所を読み取り移動ルートを計算するように構成される。
【００４３】
検出装置は、好ましくは、ＲＦＩＤ読取装置を備えることができる。